(57)【要約】【課題】既存の建築物に対する耐力補強又は間取り変更に好適である作業性の良いパネル交換方法を提供する。【解決手段】まず、外壁パネル２Ｘの上方にある胴面材を取り外して胴差４を露出させる。次に、外壁パネル２Ｘと胴差４とを締結する締結具を外し、更に、胴差４に固定されて住宅の外面から突出するように配設された支持金物６に、支持金物６と地面との間に配設されたジャッキ５を上方に伸長させてジャッキ５の上端部にある上板５ｄを押し当てて、胴差４を持ち上げる。そして、外壁パネル２Ｘを住宅から取り外し、最後に外壁パネル２Ｘを取り外した箇所に新たな外壁パネル２Ｚを取り付ける。【選択図】図３
2014198963.tif 000002
【特許請求の範囲】
【請求項１】
複数の外壁パネルを有する既存の建築物における前記外壁パネルを入れ替えるパネル交換方法であって、
既存の外壁パネルの上方にある胴面材を取り外して梁を露出させる工程と、
前記既存の外壁パネルと前記梁とを締結する締結具を外す工程と、
前記梁に固定されて前記建築物の外面から突出するように配設された突出部材に、該突出部材と地面との間に配設されたジャッキを上方に伸長させて前記ジャッキの上端を押し当てて、前記梁を持ち上げる工程と、
前記既存の外壁パネルを前記建築物から取り外す工程と、
前記既存の外壁パネルを取り外した箇所に新たな外壁パネルを取り付ける工程と、を備えることを特徴とするパネル交換方法。
【請求項２】
前記梁を持ち上げる工程において、
平面部を一部に含む前記突出部材を用い、
前記平面部の下面が水平となる向きで前記突出部材を前記梁に固定し、前記ジャッキの上端を前記平面部の下面に押し当てて前記梁を持ち上げることを特徴とする請求項１に記載のパネル交換方法。
【請求項３】
前記既存の外壁パネルを取り外す工程、又は前記新たな外壁パネルを取り付ける工程において、
前記梁に直接的又は間接的に回動可能に支持されて支点となる支点部と、該支点部に一端部を固定され他端部にかけて延出する操作部と、該操作部の前記一端部と前記他端部の間に配置されて前記外壁パネルに面接触する当接部とを備える押出治具を用い、
前記操作部を操作し、前記支点部を支点として、前記既存の外壁パネルを押し出して取り外す、又は前記新たな外壁パネルを押し出して取り付けることを特徴とする請求項１又は２に記載のパネル交換方法。
【請求項４】
前記既存の外壁パネルを取り外す工程において、取り外し対象の前記外壁パネルの上方にある前記梁の室内側に支持部材を取り付け、該支持部材に前記押出治具の前記支点部を回動可能に取り付け、前記支点部を支点として前記操作部を回動させ、前記当接部を前記外壁パネルに当接させて押し出すことを特徴とする請求項３に記載のパネル交換方法。
【請求項５】
前記新たな外壁パネルを取り付ける工程において、前記新たな外壁パネルの上方にある前記梁の室外側に支持部材を取り付け、該支持部材に前記押出治具の前記支点部を回動可能に取り付け、前記支点部を支点として前記操作部を回動させ、前記当接部を前記外壁パネルに当接させて押し出すことを特徴とする請求項３に記載のパネル交換方法。
【請求項６】
新たな外壁パネルを取り付ける工程において、前記既存の外壁パネルと種類の異なる前記新たな外壁パネルを取り付けることを特徴とする請求項１乃至５のいずれか１項に記載のパネル交換方法。
【発明の詳細な説明】
【技術分野】
【０００１】
本発明は、パネル交換方法に係り、特に、既存の建築物の外壁パネルを交換する際に好適なパネル交換方法に関する。
【背景技術】
【０００２】
一般に、複数の外壁パネルを有する建築物における耐力補強が施された外壁パネルは、ブレース又は補強鋼板が溶接によって接合又はビス固定されたフレームを備える。また、耐力補強は、パネル工場において外壁パネルの製造時になされ、外壁パネルを建築物に取り付ける時点においては既に補強がなされているのが通常である。
【０００３】
一方、近年、自家発電の関心が高まり、住宅の屋根に太陽光パネルを取り付ける家庭が増えている。しかし、太陽光パネルを取り付ける場合、建築当初においては想定されていない荷重が屋根から柱・梁及び外壁パネルに加わることとなる。この場合に、住宅の重量耐力バランスがくずれることにより、一部の外壁パネルに耐力補強が必要となる場合がある。
【０００４】
また、例えば、壁の構造を知らないエアコン設置工事業者が、冷房管等を通すために、建築業者が関与することなく壁に孔を開けることがある。このような場合、エアコン設置工事業者によって、ブレースやパネルフレームに損傷を与え孔を開けられてしまい、外壁パネルの耐力が下がってしまうことがある。
このような背景から、既存の住宅等の建築物に新たに耐力補強工事を施す必要となる場合があった。
【０００５】
既存の建築物に新たに耐力補強工事を行う技術として、例えば特許文献１には、木造住宅の２本の柱に跨るように筋交であるブレースを後付けする耐力補強方法が開示されている。この方法は、既存の外壁の面材を剥がし、露出した木製の柱にブレースをネジで固定し、既存の面材の位置よりも外側に新たな面材を取り付けるというものである。
【先行技術文献】
【特許文献】
【０００６】
【特許文献１】特開平８−２８４４６５号公報
【発明の概要】
【発明が解決しようとする課題】
【０００７】
特許文献１に開示された耐力補強方法は、木造住宅の木製の柱にブレースをビスで固定するものであるため、鉄骨造の建築物が備える鋼製の柱には、ブレースをビスで簡単には取り付けることはできず、鉄骨造の建築物の耐力補強に容易に適用できなかった。
【０００８】
また、特許文献１に開示された耐力補強方法は、ブレースを取り付けた分、ブレースを収容するスペースが必要となる。このため、上記のように既存の面材よりも新たな面材を外側に設けなければならない。したがって、外壁の一部のみを耐力補強する場合であっても、面材を面一に揃えるためには、外壁全面の面材を取り替える必要があり、作業に余計な手間がかかっていた。
【０００９】
また、鉄骨造の建築物に耐力補強を施す場合には、ブレースを溶接によって鋼製の柱に取り付ける方法も考えられる。しかし、溶接を施す場合に、周囲にＰＳ（ポリスチレン）等の可燃物があるときには、溶接の際に生じる火花によって周囲の可燃物が燃えたり、溶けたりすることがあり、防炎シートで養生する必要があった。
【００１０】
このように、可燃物を覆うように防炎シートで養生すれば、周囲に可燃物があったとしても溶接できるが、コストと手間がかかり、更に、スペース上、防炎シートによる養生が難しい場合があった。また、有資格者でなければ溶接ができないために、人手の確保が必要となっていた。更に、溶接機や２００Ｖ電源を用意する必要があり、溶接機は大型機械であるため、場所によっては搬入や荷揚げが困難であった。これらの理由によって、溶接によってブレースを建築物の鋼製の柱に取り付けることは、現実的ではなかった。
【００１１】
また、上記のように、太陽電池を取り付けることによって崩れた重量バランスを適切なものとするために、例えば、耐力の弱い窓付きの外壁を耐力の強い窓を有しないブレース付きの外壁に変更する必要が生じる場合がある。このように間取りを変更する必要がある場合には、特に複数階建ての建築物であってその下階部分の外壁パネルについては、上階の床部分と重複する胴差に外壁パネルが固定されているため作業が困難であった。
【００１２】
以上のように、既存の建築物に対して作業性の良い耐力補強方法や間取り変更方法が望まれていた。
本発明の目的は、上記課題を解決するためになされたもので、既存の建築物に対する耐力補強又は間取り変更に好適である作業性の良いパネル交換方法を提供することにある。
【００１３】
前記課題は、本発明によれば、複数の外壁パネルを有する既存の建築物における前記外壁パネルを入れ替えるパネル交換方法であって、既存の外壁パネルの上方にある胴面材を取り外して梁を露出させる工程と、前記既存の外壁パネルと前記梁とを締結する締結具を外す工程と、前記梁に固定されて前記建築物の外面から突出するように配設された突出部材に、該突出部材と地面との間に配設されたジャッキを上方に伸長させて前記ジャッキの上端を押し当てて、前記梁を持ち上げる工程と、前記既存の外壁パネルを前記建築物から取り外す工程と、前記既存の外壁パネルを取り外した箇所に新たな外壁パネルを取り付ける工程と、を備えるようにすることで解決される。
【００１４】
このように、ジャッキによって梁を持ち上げることで、梁の下にある既存の外壁パネルを取り外して、新たな外壁パネルに交換することができる。このため、既存の外壁パネルよりも耐力の高い外壁パネルに交換することで、木造、鉄骨造の建築物を問わず、溶接を行うことなく、耐力補強が可能となる。また、既存の外壁パネルの外面に、ブレースを取り付ける従来の方法と異なり、新たな外壁パネルの厚みを既存の外壁パネルと同じ厚みにすることで、周囲の面材と面一に揃えることができる。
【００１５】
また、前記梁を持ち上げる工程において、平面部を一部に含む前記突出部材を用い、前記平面部の下面が水平となる向きで前記突出部材を前記梁に固定し、前記ジャッキの上端を前記平面部の下面に押し当てて前記梁を持ち上げるようにすると好適である。
このように、突出部材の平面部にジャッキの上端を押し当てるようにすることで、ジャッキの伸長に応じて略均等な押圧力が突出部材にかかり、突出部材を介して梁を安定して押し上げることができる。
【００１６】
更に、前記既存の外壁パネルを取り外す工程、又は前記新たな外壁パネルを取り付ける工程において、前記梁に直接的又は間接的に回動可能に支持されて支点となる支点部と、該支点部に一端部を固定され他端部にかけて延出する操作部と、該操作部の前記一端部と前記他端部の間に配置されて前記外壁パネルに面接触する当接部とを備える押出治具を用い、前記操作部を操作し、前記支点部を支点として、前記既存の外壁パネルを押し出して取り外す、又は前記新たな外壁パネルを押し出して取り付けるようにすると好適である。
このように、支点部と操作部と当接部とを備える押出治具を用いることで、既存の外壁パネルの取り外し、又は新たな外壁パネルの取り付けが容易となる。
【００１７】
また、前記既存の外壁パネルを取り外す工程において、取り外し対象の前記外壁パネルの上方にある前記梁の室内側に支持部材を取り付け、該支持部材に前記押出治具の前記支点部を回動可能に取り付け、前記支点部を支点として前記操作部を回動させ、前記当接部を前記外壁パネルに当接させて押し出すようにすると好適である。
このように、梁の室内側に支持部材を取り付けるようにすることで、取り外し対象の外壁パネルの取り外しに好適な位置に押出治具を設置することができる。
【００１８】
また、前記新たな外壁パネルを取り付ける工程において、前記新たな外壁パネルの上方にある前記梁の室外側に支持部材を取り付け、該支持部材に前記押出治具の前記支点部を回動可能に取り付け、前記支点部を支点として前記操作部を回動させ、前記当接部を前記外壁パネルに当接させて押し出すようにすると好適である。
このように、梁の室外側に支持部材を取り付けるようにすることで、取り付け対象の外壁パネルの取り付けに好適な位置に押出治具を設置することができる。
【００１９】
また、新たな外壁パネルを取り付ける工程において、前記既存の外壁パネルと種類の異なる前記新たな外壁パネルを取り付けるようにしてもよい。
このように、既存の外壁パネルと種類の異なる外壁パネル、例えば、窓サッシ無しの既存の外壁パネルを取り外して、窓サッシ付きの外壁パネルを新たに取り付けることで、窓の位置を入れ替える等の間取り変更に対応でき、また、より耐力の高いフレームを備える外壁パネルを取り付けることで、耐力を向上させることができる。
【発明の効果】
【００２０】
本発明のパネル交換方法によれば、既存の建築物に対する耐力補強又は間取り変更に好適である作業性の良いパネル交換方法を提供することができる。
【図面の簡単な説明】
【００２１】
【図１】交換対象の外壁パネルの周囲を示す模式図である。
【図２】胴面材を取り外した状態を示す模式図である。
【図３】支持金物、ジャッキ、支持部材セットを胴差に取り付けた状態を示す斜視図である。
【図４Ａ】図３のIVA−IVA断面矢視図である。
【図４Ｂ】図４ＡのIVB−IVB断面矢視図である。
【図４Ｃ】図４ＡのIVC−IVC断面矢視図である。
【図５】（ａ）は、既存の外壁パネルを取り外すため押出治具を室内に設置した状態を示す模式図、（ｂ）は、押出治具を動作させて既存の外壁パネルを室外に押し出した状態を示す模式図である。
【図６】（ａ）は、新たな外壁パネルを取り付けるため押出治具を室外に設置した状態を示す模式図、（ｂ）は、押出治具を動作させて新たな外壁パネルを室内に押し出した状態を示す模式図である。
【図７】（ａ）は、スキンプレート補強鋼板付きフレームを示す模式図、（ｂ）は、ブレース付きフレームを示す模式図、（ｃ）は、窓サッシ付きフレームを示す模式図である。
【発明を実施するための形態】
【００２２】
以下、本発明のパネル交換方法の一実施形態について、図面を参照して説明する。なお、以下に説明する部材、配置等は、本発明を限定するものではなく、本発明の趣旨に沿って各種改変することができることは勿論である。
【００２３】
本発明の実施形態に係るパネル交換方法は、複数の外壁パネル２を有する既存の住宅１における外壁パネル２Ｘを入れ替える方法である。
各構成部材については後述するが、本実施形態に係るパネル交換方法は、
（１）外壁パネル２Ｘ，２Ｙの上方にある胴面材３Ｘ，３Ｙを取り外して胴差４を露出させる工程と、
（２）外壁パネル２Ｘと胴差４とを締結する取付ボルト２ｃを外す工程と、
（３）胴差４に固定されて住宅１の外面から突出する支持金物６に、支持金物６と地面Ｇとの間に配設されたジャッキ５を上方に伸長させてジャッキ５の上板５ｄを押し当てて、胴差４を持ち上げる工程と、
（４）外壁パネル２Ｘを住宅１から取り外す工程と、
（５）外壁パネル２Ｘを取り外した箇所に新たな外壁パネル２Ｚを取り付ける工程と、から主に構成される。
【００２４】
次に、図１〜図４を参照して、上記本実施形態に係るパネル交換方法に係る各構成部材について説明する。
本実施形態に係るパネル交換方法における交換対象である外壁パネル２は、図１に示す外壁パネル２Ｘである。
外壁パネル２，２Ｘ，２Ｙは、図４Ａに示すように、鋼製のフレーム２ｆと、住宅１の外側に面する外面材２ａと、鋼製フレーム２ｆに囲われるように配設されたグラスウールＧＷと、フレーム２ｆの住宅１の内側に取り付けられた木桟２ｂとから構成される。
特に、外壁パネル２Ｘは、外壁パネル２のうち、空調機器の設置業者によってフレーム２ｆに孔が開けられ、耐力補強のために交換が必要となったものや、詳細については後述するが、間取り変更のために窓サッシ付きフレーム１４等への種類の変更が必要となったものである。また、外壁パネル２Ｙは、外壁パネル２Ｘに隣接して配設されているものである。
【００２５】
胴差４は、上下端のフランジの間にウェブ４ａを有する鋼製のＨ型鋼の梁であり、外壁パネル２Ｘ，２Ｘの上方に、本実施形態において１階と２階との間に水平に渡って配設されている。また、胴差４には、後述する支持金物６の取り付けに用いられる複数のタップ孔８ａ，８ｂを有する接合金物８が所定の間隔で取り付けられている。
胴面材３，３Ｘ，３Ｙは、胴差４の外面を覆うものである。特に、胴面材３Ｘ，３Ｙは、交換対象である外壁パネル２Ｘの上方、外壁パネル２Ｘの隣に設けられた外壁パネル２Ｙの上方にそれぞれ配設されているものである。
【００２６】
支持金物６は、鋼製であり、後述するジャッキ５によって胴差４を持ち上げるために用いられるものである。
支持金物６は、図３及び図４Ａ〜図４Ｃに示すように、胴差４に取り付けられる側から順に、断面Ｔ形であり一方向に長尺の取付部６ａと、断面Ｈ形であり、取付部６ａの長手方向に対して垂直に延在するように接合された第１の突出部６ｂと、第１の突出部６ｂと略同一の形状を成し、第１の突出部６ｂのＨ形におけるウェブの延在方向の一方（胴差４の取り付け状態における上方）にずれて第１の突出部６ｂに接合された第２の突出部６ｃとから主に構成される。
【００２７】
取付部６ａが、タップ孔８ａに１本のビス６ｄで締結され、タップ孔８ｂに３本のビス６ｅで締結されることにより、支持金物６は、接合金物８に固定されることとなる。
【００２８】
ジャッキ５は、図３、図４Ａ及び図４Ｃに示すように、地面Ｇ上に載置される下板５ｅと、下板５ｅから上方に延在する円筒状の本体５ａと、内面に雌ネジを有し、本体５ａに回転可能に支持される回転部５ｂと、下端部の外面に雄ネジのネジ部５ｇを有して回転部５ｂに螺合し、本体５ａの内部に対して延出及び収容可能な円筒状の伸縮部５ｃと、伸縮部５ｃの上端に固定された上板５ｄとから構成される。
【００２９】
ジャッキ５は、伸縮部５ｃを伸長させたときに押し上げ対象である支持金物６における第２の突出部６ｃの下面に当接する位置に配設される。なお、ジャッキ５は、姿勢の安定のために、厳密には、地面Ｇの上に敷かれた図示せぬ鉄板、及び図示せぬ合板上に下板５ｅが乗るように配設される。
【００３０】
次に、外壁パネル２Ｘを新たな外壁パネル２Ｚに交換する方法について具体的に説明する。
【００３１】
（１）外壁パネル２Ｘ，２Ｙの上方にある胴面材３Ｘ，３Ｙを取り外して胴差４を露出させる工程
まず、胴差４を露出させるために、図１に示す胴面材３Ｘ，３Ｙの周囲のシーリング２０にカッターで切れ目をいれ、図２に示すように、胴面材３Ｘ，３Ｙを住宅１から取り外す。
【００３２】
（２）外壁パネル２Ｘと胴差４とを締結する取付ボルト２ｃを外す工程
次に、外壁パネル２Ｘと胴差４とを締結する図４Ａに示す取付ボルト２ｃを外す。このように取付ボルト２ｃを外しておくことで、胴差４から外壁パネル２Ｘが外れるようになり、且つ、後の工程で胴差４を持ち上げる際に外壁パネル２Ｘの荷重がかからないようになる。更に、外壁パネル２Ｙと胴差４とを締結する不図示の取付ボルトを所定量だけ緩める。このようにして、後の工程で胴差４を持ち上げる際に、外壁パネル２Ｙの荷重が胴差４に加わることを防ぎ、胴差４の持ち上げを妨げないようにする。
【００３３】
（３）胴差４に固定されて住宅１の外面から突出する支持金物６に、支持金物６と地面Ｇとの間に配設されたジャッキ５を上方に伸長させてジャッキ５の上板５ｄを押し当てて、胴差４を持ち上げる工程
次に、接合金物８を介して胴差４に取り付けられた支持金物６の下方に、図３及び図４に示すジャッキ５を配設する。ジャッキ５の回転部５ｂに、長尺の回転治具１０を取り付ける。回転治具１０によって、回転部５ｂにおける本体５ａの軸線上にある回転中心から力を加える部位までの距離を長くでき、同じ力に対する回転部５ｂのトルクを大きくすることができる。
【００３４】
そして、回転治具１０を用いて回転部５ｂを本体５ａの軸を中心に一方向に回転させ、回転部５ｂの内面に形成された雌ねじと、伸縮部５ｃの外面に形成されたネジ部５ｇとの相対的な螺合位置を変えて、本体５ａに収容された伸縮部５ｃを上方へ突出（伸長）させる。
そして、伸縮部５ｃを伸長させて、支持金物６（具体的には、第２の突出部６ｃ）の下面に上板５ｄを当接させた後、更に、支持金物６を介して胴差４を本実施形態では３，４ｍｍ程度持ち上げ、胴差４から外壁パネル２Ｘにかかる荷重が小さくなるようにする。ここで、胴差４を持ち上げる高さは３，４ｍｍ程度で短いために、２階への影響は少ないが、部屋が傾斜することには変わりないため、念のために２階の家具等の状態を確認しながら胴差４の持ち上げ作業を行う。
【００３５】
（４）外壁パネル２Ｘを住宅１から取り外す工程
次に、外壁パネル２Ｘを住宅１から取り外す作業を行う。この作業、及び後述する新たな外壁パネル２Ｚを取り付ける作業は、手作業で行うようにしてもよいが、より簡単に作業を行うために、次に説明する押出治具９を用いて行う。
押出治具９は、梃子の原理を利用して動作するもので、操作棒９ａと、操作棒９ａの一端部に設けられた回動支持部９ｂと、操作棒９ａの中間部分から突出する作用部９ｃとから構成される。
【００３６】
回動支持部９ｂは、胴差４に固定された渡し棒１５に対し操作棒９ａを回動可能に支持するものであり、操作棒９ａの長手方向に対し垂直に突出している。回動支持部９ｂの突出側の端部９ｄは、断面円弧状を成し、操作棒９ａからの回動支持部９ｂの突出方向に対して垂直方向に延在している。端部９ｄは、図示せぬクランプによって渡し棒１５に回動可能に取り付けられる。
【００３７】
作用部９ｃは、押し出し対象である外壁パネル２Ｘ（及び後述する新たな外壁パネル２Ｚ）に当接して、作業者から操作棒９ａに加えられた力に基づく押し出し力を押し出し対象に加えるものであり、操作棒９ａに対して回動支持部９ｂの突出方向と平行な方向に突出している。作用部９ｃの突出側の端部９ｅは、円柱状に形成されており、操作棒９ａからの作用部９ｃの突出方向に対して垂直方向に延在している。端部９ｅが円柱状に形成されていることにより、操作棒９ａの回動動作中において、端部９ｅに当接する部材には、常に端部９ｅの径方向に力が加わることとなる。
【００３８】
このように構成された押出治具９を用いて、外壁パネル２Ｘを住宅１から取り外す作業について、次に説明する。
まず、押出治具９が外壁パネル２Ｘに室内側から当接できるように、外壁パネル２Ｘの室内側にある図示せぬクロス及び図４Ａに示す石膏ボードＰＢを剥がす。この際、外壁パネル２ＸのグラスウールＧＷを除去する。
次に、押出治具９の設置スペース及び回動スペースを確保するために、外壁パネル２Ｘ上方に位置する一階の天板１１の一部を取り外して作業空間１１ａを形成する。
【００３９】
次に、外壁パネル２Ｘの上方にある胴差４等の鉄骨部分に渡し棒１５を取り付ける。ここで、渡し棒１５を取り付ける向きは、渡し棒１５の長手方向が外壁パネル２Ｘを押し出す方向に対して垂直な向きである。そして、操作棒９ａが上下方向に回動可能となるように、図示せぬクランプで渡し棒１５に端部９ｄを取り付ける。
【００４０】
次に、作用部９ｃが外壁パネル２Ｘに近接する方向に、操作棒９ａを押し込んで回動させ、作用部９ｃと外壁パネル２Ｘの上部の木桟２ｂとの間に当て板９ｆを配設する。更に、外壁パネル２Ｘの上部が胴差４から離れるまで操作棒９ａを押し込み、作用部９ｃを介して外壁パネル２Ｘの上部を住宅１の外部に押し出す。
【００４１】
そして、胴差４から離れた外壁パネル２Ｘを上方に持ち上げつつ、室外から引き出すことによって、外壁パネル２Ｘを住宅１から取り外す。
【００４２】
（５）外壁パネル２Ｘを取り外した箇所に新たな外壁パネル２Ｚを取り付ける工程
次に、新たな外壁パネル２Ｚを住宅１に取り付ける作業を行う。この作業は、上記のように、押出治具９を用いて行う。
【００４３】
外壁パネル２Ｘが取り外された箇所の上方に回動可能に押出治具９の回動支持部９ｂを配設するために、支持部材セット７を用いる。
支持部材セット７は、図３に示すように、一端部に取付板７ｂを有し取付板７ｂから垂直に延出する突出棒７ａと、２本の突出棒７ａの垂直に渡されてクランプ７ｅにより固定される渡し棒７ｄとから構成される。
【００４４】
このように構成された支持部材セット７を、外壁パネル２Ｘが取り外された箇所の上方にある胴差４のウェブ４ａの室外側に取り付ける。
具体的には、２本の突出棒７ａの取付板７ｂを水平方向に間隔を空けて胴差４のウェブ４ａにボルト７ｃで固定する。そして２本の突出棒７ａに跨るように渡し棒７ｄを渡し、２本の突出棒７ａのそれぞれと渡し棒７ｄとをクランプ７ｅで固定する。
そして、渡し棒７ｄに、押出治具９の回動支持部９ｂの端部９ｄを上下方向に回動可能に図示せぬクランプで取り付ける。
【００４５】
更に、新たな外壁パネル２Ｚを用意して、外壁パネル２Ｚの下端を、取り外される前の外壁パネル２Ｘの下端が配置されていた箇所に配置する。
次に、作用部９ｃが外壁パネル２Ｚに近接する方向に、操作棒９ａを押し込んで回動させ、作用部９ｃと外壁パネル２Ｚの外面材２ａの上部との間に当て板９ｆを配設する。更に、外壁パネル２Ｚが垂直に立設するまで操作棒９ａを押し込む。
【００４６】
次に、ジャッキ５の回転部５ｂを操作してジャッキ５の伸縮部５ｃを下方に縮め、ジャッキ５による支持金物６を介しての胴差４の押し上げを解除する。外壁パネル２Ｚは、ジャッキ５からの押し上げが解除された胴差４が下方に移動することによって、胴差４と土台Ｂとの間に挟持された状態となる。そして、外壁パネル２Ｚを土台Ｂ、胴差４及び図示せぬ柱にボルト・ナットによって固定して、外壁パネル２Ｚの取り付けが完了する。
【００４７】
更に、外壁パネル２Ｚの住宅１への取り付け完了後、外壁パネル２Ｘを押し出す作業空間１１ａを確保するために取り外した天板１１の一部を新たに取り付け、外壁パネル２Ｚの室内側に石膏ボードＰＢ、図示せぬクロスを貼り付け、新たな胴面材３及び断熱材を胴差４の外面に取り付けて修繕作業を行い、完全にパネル交換工事が完了することとなる。
【００４８】
本発明によれば、上記の既存の外壁パネル２Ｘから、新たな外壁パネル２Ｚへの交換は、外壁パネル２Ｘのフレーム２ｆが破損した場合に、破損していない新たなフレーム２ｆを備える外壁パネル２Ｚに容易に交換するようにできるが、他の目的をもって外壁パネル２を交換するようにしてもよい。
例えば、破損していなくても耐力の弱い外壁パネル２Ｘを、耐力補強がされた種類の異なる外壁パネル２Ｚに交換するようにしてもよい。
具体的には、単に矩形状に形成された耐力の弱い外壁パネル２Ｘを、図７（ａ）に示すような鋼製のプレートが固定されたスキンプレート補強鋼板付きフレーム１２、又は図７（ｂ）に示すようなブレース付きフレーム１３を備える新たな外壁パネル２に交換するようにしてもよい。
【００４９】
その他、本発明を、間取り変更の目的で外壁パネル２を交換する場合にも適用できる。例えば、窓のない外壁を窓付きの外壁にする場合に、窓サッシを有しない通常のフレーム２ｆ付きの外壁パネル２Ｘを、図７（ｃ）に示すような窓サッシ付きフレーム１４を有する種類の異なる外壁パネル２に交換するようにしてもよい。その逆、つまり、窓サッシ付きフレーム１４を有する外壁パネル２を、窓サッシを有しない通常のフレーム２ｆを有する外壁パネルに交換するようにしてもよい。
その他、例えば、換気扇の位置を変えるためや、増改築のために外壁パネル２の取り外しや取り付けに本発明を使用するようにしてもよい。
【符号の説明】
【００５０】
１  住宅（建築物）
２，２Ｘ，２Ｙ，２Ｚ  外壁パネル
２ａ  面材
２ｂ  木桟
２ｃ  取付ボルト（締結具）
２ｆ  フレーム
３，３Ｘ，３Ｙ  胴面材
４  胴差（梁）
４ａ  ウェブ
５  ジャッキ
５ａ  本体
５ｂ  回転部
５ｃ  伸縮部
５ｄ  上板（上端）
５ｅ  下板
５ｆ  取付孔
５ｇ  ネジ部
６  支持金物（突出部材）
６ａ  取付部
６ｂ  第１の突出部
６ｃ  第２の突出部（平面部）
６ｄ，６ｅ  ビス
７  支持部材セット
７ａ  突出棒
７ｂ  取付板
７ｃ  ボルト
７ｄ  渡し棒（支持部材）
７ｅ  直交クランプ
８  接合金物
８ａ，８ｂ  タップ孔
９  押出治具
９ａ  操作棒（操作部）
９ｂ  回動支持部（支点部）
９ｃ  作用部
９ｄ  端部
９ｅ  端部
９ｆ  当て板（当接部）
１０  回転治具
１１  天板
１１ａ  作業空間
１２  スキンプレート補強鋼板付きフレーム
１３  ブレース付きフレーム
１４  窓サッシ付きフレーム
１５  渡し棒（支持部材）
２０  シーリング
Ｂ  土台
Ｇ  地面
ＧＷ  グラスウール
【図１】
2014198963.tif 000003
【図２】
2014198963.tif 000004
【図３】
2014198963.tif 000005
【図４Ａ】
2014198963.tif 000006
【図４Ｂ】
2014198963.tif 000007
【図４Ｃ】
2014198963.tif 000008
【図５】
2014198963.tif 000009
【図６】
2014198963.tif 000010
【図７】
2014198963.tif 000011